(57)【特許請求の範囲】
【請求項１】
交流電源の電圧を整流して得られる直流電源に、２個の半導体スイッチング素子からなる直列回路、共振回路、リーケージトランスを接続し、前記半導体スイッチング素子のスイッチング周波数を変調して高周波電力に変換し、リーケージトランスの２次側に発生する出力をマグネトロンに印加して付勢するマグネトロン駆動用のインバータ回路を制御する高周波誘電加熱用電力制御装置であって、
前記交流電源からの前記インバータ回路への入力電流の波形を検知し、入力電流波形情報を出力する入力電流検出部と、
前記交流電源からの前記インバータ回路への入力電圧の波形を検知し、入力電圧波形情報を出力する入力電圧検出部と、
前記入力電流検出部と前記入力電圧検出部との間に接続される選択部と、
前記選択部と前記半導体スイッチング素子との間に接続される変換部と、
を備え、
前記入力電圧波形情報は、前記マグネトロンの発振時において、前記入力電圧波形情報の振幅が、最大入力電流の５０％から２０％時の入力電流波形情報の振幅程度になるように設定し、
前記選択部は、前記入力電流波形情報と前記入力電圧波形情報のうち大きい方を選択し、前記変換部は、選択された前記入力電流波形情報と前記入力電圧波形情報のいずれかを、オン・オフ駆動信号のスイッチング周波数を変調する変調信号とし、
瞬時波形情報の大きい部分はスイッチング周波数を高くする極性に、前記瞬時波形情報の小さい部分はスイッチング周波数を低くする極性に、前記インバータ回路の前記半導体スイッチング素子のオン・オフ駆動信号に変換する高周波誘電加熱用電力制御装置。
【請求項２】
交流電源の電圧を整流して得られる直流電源に、二組の２個の半導体スイッチング素子からなる直列回路を並列に接続し、前記直列回路の中点間にリーケージトランスの１次巻線とコンデンサを接続した共振回路を接続し、前記半導体スイッチング素子の高周波スイッチングの周波数を変調し、二相全波駆動して高周波電力に変換し、前記リーケージトランスの２次巻線に接続される整流手段の出力をマグネトロンに印加して付勢するマグネトロン駆動用のインバータ回路を制御する高周波誘電加熱用電力制御装置であって、
前記交流電源からの前記インバータ回路への入力電流の波形を検知し、入力電流波形情
報を出力する入力電流検出部と、
前記交流電源からの前記インバータ回路への入力電圧の波形を検知し、入力電圧波形情報を出力する入力電圧検出部と、
前記入力電流検出部と前記入力電圧検出部との間に接続される選択部と、
前記選択部と前記半導体スイッチング素子との間に接続される変換部と、を備え、
前記入力電圧波形情報は、前記マグネトロンの発振時において、入力電圧波形情報の振幅は、最大入力電流の５０％から２０％時の入力電流波形情報の振幅程度になるように設定し、
前記選択部は、前記入力電流波形情報と前記入力電圧波形情報のうち大きい方を選択し、前記変換部は、選択された前記入力電流波形情報と前記入力電圧波形情報のいずれかを、オン・オフ駆動信号のスイッチング周波数を変調する変調信号とし、
瞬時波形情報の大きい部分はスイッチング周波数を高くする極性に、前記瞬時波形情報の小さい部分はスイッチング周波数を低くする極性に、前記インバータ回路の前記半導体スイッチング素子のオン・オフ駆動信号に変換する高周波誘電加熱用電力制御装置。
【請求項３】
交流電源の電圧を整流して得られる直流電源に、２個の半導体スイッチング素子からなる直列回路を並列に接続し、リーケージトランスの１次巻線とコンデンサを接続した共振回路の一端を前記半導体スイッチング素子の中点に、他端を交流等価回路において前記直流電源に接続し、前記半導体スイッチング素子の高周波スイッチングの周波数を変調して高周波電力に変換し、前記リーケージトランスの２次巻線に接続される整流手段の出力をマグネトロンに印加して付勢するマグネトロン駆動用のインバータ回路を制御する高周波誘電加熱用電力制御装置であって、
前記交流電源からの前記インバータ回路への入力電流の波形を検知し、入力電流波形情報を出力する入力電流検出部と、
前記交流電源からの前記インバータ回路への入力電圧の波形を検知し、入力電圧波形情報を出力する入力電圧検出部と、
前記入力電流検出部と前記入力電圧検出部との間に接続される選択部と、
前記選択部と前記半導体スイッチング素子との間に接続される変換部と、を備え、
前記入力電圧波形情報は、前記マグネトロンの発振時において、入力電圧波形情報の振幅は、最大入力電流の５０％から２０％時の入力電流波形情報の振幅程度になるように設定し、
前記選択部は、前記入力電流波形情報、およびと前記入力電圧波形情報のうち大きい方を選択し、
前記変換部は、選択された前記入力電流波形情報と前記入力電圧波形情報のいずれかを、オン・オフ駆動信号のスイッチング周波数を変調する変調信号とし、
瞬時波形情報の大きい部分はスイッチング周波数を高くする極性に、前記瞬時波形情報の小さい部分はスイッチング周波数を低くする極性に、前記インバータ回路の前記半導体スイッチング素子のオン・オフ駆動信号に変換する高周波誘電加熱用電力制御装置。
【請求項４】
請求項１ないし３記載の高周波誘電加熱用電力制御装置であって、
加算部は、前記入力電流検出部及び前記変換部の間に接続され、前記入力電流波形情報及び前記入力電圧波形情報のいずれかと、前記インバータ回路の任意の箇所における電流又は電圧が所定値になるように制御する電力制御情報とをミックスし、スイッチング周波数制御信号を生成するミックス回路を更に有し、
前記変換部は、前記電力制御情報の任意の箇所における電流又は電圧が所定値に対し大きい場合、あるいは前記波形情報の大きい部分は、スイッチング周波数を高くする極性に、電流又は電圧が所定値に対し小さい場合、あるいは前記波形情報の小さい部分は、スイッチング周波数を低くする極性に、前記スイッチング周波数制御信号を前記駆動信号に変換する高周波誘電加熱用電力制御装置。
【請求項５】
請求項４記載の高周波誘電加熱用電力制御装置であって、
前記変換部は高周波スイッチング周波数に上限ないし下限を設ける周波数制限部を備えた高周波誘電加熱用電力制御装置。
【請求項６】
請求項５記載の高周波誘電加熱用電力制御装置であって、
前記変換部は前記高周波スイッチングのオンデューティを制御するデューティ制御部を更に有し、
少なくとも前記高周波スイッチング周波数が周波数制限部の上限に制限される範囲は、デューティ制御で補完するように前記デューティ制御部の動作範囲を設定した高周波誘電加熱用電力制御装置。
【請求項７】
請求項４記載の高周波誘電加熱用電力制御装置であって、
前記入力電流波形情報及び前記入力電圧波形情報は、直接前記ミックス回路に入力され、当該ミックス回路は直接入力された入力電流波形情報及び入力電圧波形情報のいずれかを選択し、低域周波数成分をカットした情報と、前記電力制御情報の高域周波数成分をカットした情報と、をミックスする高周波誘電加熱用電力制御装置。
【請求項８】
請求項１ないし３記載の高周波誘電加熱用電力制御装置であって、
前記入力電流検出部は、前記入力電流を検知する変流器と、検知された前記入力電流を整流し、出力する整流回路とを有する高周波誘電加熱用電力制御装置。
【請求項９】
請求項４記載の高周波誘電加熱用電力制御装置であって、
前記入力電流検出部の出力と出力設定信号と比較して前記電力制御情報を出力する比較回路を更に備える高周波誘導加熱用電力制御装置。
【請求項１０】
請求項４記載の高周波誘電加熱用電力制御装置であって、
前記入力電流検出部は、前記インバータ回路の入力電流を整流した後の単一方向電流を検知して出力するように構成した高周波誘電加熱用電力制御装置。
【請求項１１】
請求項１０記載の高周波誘電加熱用電力制御装置であって、
前記入力電流検出部は、前記インバータ回路の入力電流を整流した後の単一方向電流を検知するシャント抵抗と、当該シャント抵抗の両端に生ずる電圧を増幅する増幅回路を有し、
前記増幅回路により得られた出力を、前記入力電流波形情報として直接前記ミックス回路に入力し、
前記増幅回路により得られた出力と出力設定信号と比較して前記電力制御情報を出力する比較回路を更に備える高周波誘電加熱用電力制御装置。
【請求項１２】
請求項４記載の高周波誘電加熱用電力制御装置であって、
前記ミックス回路は、前記電力制御情報の高域成分をカットする構成を有する高周波誘電加熱用電力制御装置。
【請求項１３】
請求項４記載の高周波誘電加熱用電力制御装置であって、
前記ミックス回路は、前記入力電流の増加制御時と前記入力電流の減少制御時との間でフィルタ回路構成が切り替わる高周波誘電加熱用電力制御装置。
【請求項１４】
請求項１３記載の高周波誘電加熱用電力制御装置であって、
前記ミックス回路は、前記入力電流の増加制御時にはフィルタ回路の時定数が増加し、前記入力電流の減少制御時にはフィルタ回路の時定数が減少する高周波誘電加熱用電力制御装置。
【請求項１５】
請求項４記載の高周波誘電加熱用電力制御装置であって、
前記ミックス回路には、前記共振回路電圧を所定値に制御する共振回路電圧制御情報が入力され、前記共振回路電圧の大きさに応じてフィルタ回路構成が切り替わる高周波誘電加熱用電力制御装置。
【請求項１６】
請求項１５記載の高周波誘電加熱用電力制御装置であって、
前記ミックス回路は、前記共振回路電圧が低い場合にはフィルタ回路の時定数が増加し、前記共振回路電圧が高い場合にはフィルタ回路の時定数が減少する高周波誘電加熱用電力制御装置。
【請求項１７】
請求項１ないし３記載の高周波誘電加熱用電力制御装置であって、
前記入力電流検出部は、交流電源の高次周波数部分および高周波スイッチング周波数等の高周波部分を減衰するフィルタ回路を有する高周波誘電加熱用電力制御装置。
【請求項１８】
請求項１７記載の高周波誘電加熱用電力制御装置であって、
前記入力電流検出部は、前記フィルタ回路に位相進み補償を付加した構成とした高周波誘電加熱用電力制御装置。
【請求項１９】
請求項１ないし３記載の高周波誘電加熱用電力制御装置であって、
前記入力電圧検出部は、前記交流電源からの前記インバータ回路への入力電圧を検知する一組のダイオードと、当該ダイオードにより検出された入力電圧を波形整形して出力する整形回路と、を備える高周波誘電加熱用電力制御装置。
【請求項２０】
請求項１９記載の高周波誘電加熱用電力制御装置であって、
前記整形回路が、前記入力電圧の高次周波数部分を減衰する構成を有する高周波誘電加熱用電力制御装置。
【請求項２１】
請求項２０記載の高周波誘電加熱用電力制御装置であって、
前記整形回路が、位相進み補償を更に有する高周波誘電加熱用電力制御装置。
【請求項２２】
請求項４記載の高周波誘電加熱用電力制御装置であって、
前記変換部が、前記スイッチング周波数制御信号でその周波数が設定される搬送波とスライス制御信号を重ね合わせて、前記半導体スイッチング素子の駆動信号を生成する周波数変調回路より構成された高周波誘電加熱用電力制御装置。
【請求項２３】
請求項１ないし３記載の高周波誘電加熱用電力制御装置であって、
前記マグネトロンの発振を検知する発振検知回路を更に有し、当該発振検知回路によって検知されたマグネトロンの発振及び非発振に応じて、前記入力電圧検出部からの前記入力電圧波形情報の大きさを切替える高周波誘電加熱用電力制御装置。
【請求項２４】
交流電源の電圧を整流し、半導体スイッチング素子の高周波スイッチングのスイッチング周波数を変調して高周波電力に変換するインバータ回路を制御する高周波誘電加熱用電力制御方法であって、
前記交流電源からの前記インバータ回路への入力電流を検知するステップと、
前記入力電流の波形に対応した入力電流波形情報を取得するステップと、
前記交流電源からの前記インバータ回路への入力電圧を検知するステップと、
前記入力電圧の波形に対応した入力電圧波形情報を取得するステップと、
前記入力電流波形情報と前記入力電圧波形情報のうち大きい方を選択するステップと、
前記波形情報の大きい部分はスイッチング周波数を高くする極性に、かつ前記波形情報
の小さい部分はスイッチング周波数を低くする極性に、前記インバータ回路の前記半導体スイッチング素子のオン・オフ駆動信号に変換するステップと、を備え、
前記入力電圧波形情報は、前記マグネトロンの発振時において、前記入力電圧波形情報の振幅は、最大入力電流の５０％から２０％時の入力電流波形情報の振幅程度になるように設定される高周波誘電加熱用電力制御方法。
【発明の詳細な説明】
【技術分野】
【０００１】
本発明は、電子レンジなどのように、マグネトロンを用いた高周波誘電加熱用電力制御に関するものであり、特にマグネトロンの特性のバラツキや種類、それにマグネトロンのアノード温度等の差異に影響されない高周波誘電加熱に関するものである。
【背景技術】
【０００２】
高周波加熱装置に搭載されている従来の電源は重たくて、かつ大きいものであったので、その小型、軽量化が望まれてきた。このため、電源のスイッチング化による小型、軽量、低コスト化が現在の様々な分野で積極的に進められてきた。特にマグネトロンで発生されるマイクロ波により食品を調理する高周波加熱装置では、マグネトロンを駆動するための電源の小型化、軽量化が要求され、スイッチング化されたインバータ回路により実現された。
【０００３】
このうち、特に、本発明が対象としている高周波インバータ回路は、スイッチング素子２石の直列接続で構成されるブリッジのアームを一組、あるいは二組用いたブリッジ共振型回路方式のものである（例えば、特許文献１参照）。
【０００４】
上記スイッチング化は、マグネトロンが図２２のＶAK（アノード・カソード電圧）−Ｉｂ特性で示される非線形負荷であることと相まって、マグネトロン駆動用電源に供給される商用電源の電流波形は高調波成分を多く含む波形になるという課題が残されている。
【０００５】
また一方、上記高調波成分の絶対値は、電子レンジの調理時間短縮の要求を満足するためのマグネトロン駆動用電源の消費電力増加に伴い高くなり、電源高調波電流抑制をより困難にしている。
【０００６】
この高調波電流抑制のための種々の制御方式が提案されている(例えば特許文献２参照)。
【０００７】
図２１は高周波加熱装置のマグネトロン駆動用電源(インバータ電源)の一例を示している。直流電源１、リーケージトランス２、第一の半導体スイッチング素子３、第一のコンデンサ５(スナバコンデンサ)、第二のコンデンサ６(共振コンデンサ)、第三のコンデンサ７(平滑コンデンサ)、第二の半導体スイッチング素子４、駆動部１３、全波倍電圧整流回路１１、およびマグネトロン１２とから構成されている。
【０００８】
直流電源１は商用電源を全波整流して直流電圧ＶＤＣを、第二のコンデンサ６とリーケージトランス２の一次巻線８との直列回路に印加する。第一の半導体スイッチング素子３と第二の半導体スイッチング素子４とは直列に接続され、リーケージトランス２の一次巻線８と第二のコンデンサ６との直列回路（共振回路）は第二の半導体スイッチング素子４に並列に接続されている。
【０００９】
第一のコンデンサ５は第二の半導体スイッチング素子４に並列に接続され、スイッチングの際に発生する突入電流(電圧)を抑えるスナバ的な役割を有する。リーケージトランス２の二次巻線９で発生した交流高電圧出力は倍電圧整流回路１１で直流の高電圧に変換されてマグネトロン１２のアノード−カソード間に印加されている。リーケージトランス２の三次巻線１０はマグネトロン１２のカソードに電流を供給している。
【００１０】
第一の半導体スイッチング素子３および第二の半導体スイッチング素子４はＩＧＢＴと
、それに並列に接続されるフライホイールダイオードとから構成されている。当然であるが前記第一、第二の半導体スイッチング素子３、４はこの種類に限定されるものではなくサイリスタ、ＧＴＯスイッチング素子等を用いることもできる。
【００１１】
駆動部１３はその内部に第一の半導体スイッチング素子３と第二の半導体スイッチング素子４の駆動信号を作るための発振部を有し、この発振部で所定周波数の矩形波が発生され、第一の半導体スイッチング素子３および第二の半導体スイッチング素子４にＤＲＩＶＥ信号が与えられる。第一の半導体スイッチング素子３、あるいは第二の半導体スイッチング素子４の一方がターンオフした直後は他方の半導体スイッチング素子の両端電圧が高いため、この時点でターンオンさせるとスパイク状の過大電流が流れ、不要な損失、ノイズが発生する。しかし、デッドタイムを設けることにより、この両端電圧が約０Ｖに減少するまでターンオフを遅らせるため前記不要な損失、ノイズ発生が防止できる。当然、逆の切り替わり時も同様の働きをする。
【００１２】
駆動部１３より与えられるＤＲＩＶＥ信号と両半導体スイッチング素子の各動作モードにおける詳細な動作の説明は特許文献１に記載されているので割愛する。
【００１３】
図２１の回路構成の特徴としては一般家庭向け電源で最も高い電圧となる欧州２４０Ｖにおいても第一の半導体スイッチング素子３、第二の半導体スイッチング素子４への印加電圧は直流電源電圧ＶＤＣと同等となり、すなわち２４０√２＝３３９Ｖとなる。よって誘導雷サージ、瞬時電圧停止からの復帰時等の異常時を想定したとしても、第一の半導体スイッチング素子３と第二の半導体スイッチング素子４は６００Ｖ耐圧程度の安価な素子を使用できる。
【００１４】
次にこの種のインバータ電源回路(インダクタンスＬとキャパシタンスＣで直列共振回路を構成)における共振特性を図２４に示す。
【００１５】
図２４は一定電圧を印加した場合の周波数−電流特性を示す図であり、横軸がスイッチング周波数、縦軸がリーケージトランスの一次側に流れる電流に相当する。
【００１６】
直列共振回路のインピーダンスは共振周波数ｆ０の時最小になり、その周波数から遠ざかるに従い増加するので、図示されるように、共振周波数ｆ０で電流Ｉ１は最大になり、周波数範囲がｆ１〜ｆ３へと高くなるにしたがって電流Ｉ１は減少する。
【００１７】
実際のインバータ動作においては共振周波数ｆ０より高いｆ１〜ｆ３の(実線部Ｉ１) 周波数範囲を使用し、さらには入力される電源が商用電源のような交流の場合、後述するようにマグネトロンの非線形負荷特性に合わせ、商用電源の位相に応じてスイッチング周波数を変化させている。
【００１８】
図２４の共振特性を利用して、商用電源電圧に対するマグネトロン印加電圧の昇圧比を比較的要求されない商用電源の瞬時電圧が最も高くなる９０度および２７０度近傍の位相は、それぞれの高周波出力において、スイッチング周波数は最も高く設定している。
【００１９】
例えば電子レンジを２００Ｗで使用する場合はｆ３近傍に、５００Ｗの場合はそれより低く、１０００Ｗの場合はさらに低い周波数になる。
【００２０】
当然であるが、入力電力あるいは入力電流等を制御しているので、商用電源電圧、マグネトロン温度等の変化により、この周波数は変化している。
【００２１】
また商用電源の瞬時電圧が最も低くなる０度および１８０度付近の位相においては、高
電圧を印加しないと高周波発振しないマグネトロンの特性に合わせて、スイッチング周波数を共振周波数ｆ０近傍まで下げて、商用電源電圧に対するマグネトロン印加電圧の昇圧比を高め、マグネトロンから電波が発せられる商用電源の位相幅を広くする設定にしている。
【００２２】
このように、電源位相ごとのインバータ動作周波数を変えることで、基本波（商用電源周波数）成分の多い、また高調波成分の少ない電流波形を実現できる。
【００２３】
しかし、上記マグネトロンの非線形特性は、マグネトロンの種類により異なり、またマグネトロン温度や、電子レンジ内の被加熱物（負荷）によっても変動するものである。
【００２４】
図２２はマグネトロンのアノード・カソード印加電圧−アノード電流特性図であり、（ａ）はマグネトロンの種類による違い、（ｂ）はマグネトロンの給電とのマッチングの善し悪しによる違い、（ｃ）はマグネトロンの温度による違い、をそれぞれ示す図であり、また（ａ）〜（ｃ）に共通して縦軸はアノード−カソード間電圧、横軸はアノード電流である。
【００２５】
そこで（ａ）について見ると、Ａ，Ｂ，Ｃは３種類のマグネトロンの特性図で、マグネトロンＡの場合、ＶAKがＶAK1（＝ｅbm）になるまでは電流はＩA1以下の僅かな電流しか流れない。ところが、ＶAKがＶAK1を超えると電流ＩAは急激に増加し始める。この領域ではＶAKの僅かの違いでＩAは大きく変化することとなる。次に、マグネトロンＢの場合、ＶAK2（＝ｅbm）はＶAK1より低く、さらにマグネトロンＣの場合、ＶAK3（＝ｅbm）はＶAK2よりさらに低くなっている。このようにマグネトロンのこの非線形特性は、マグネトロンの種類Ａ，Ｂ，Ｃにより異なるので、ｅbmが低いマグネトロンに合わせた変調波形の場合、ｅbmが高いマグネトロンを使用した時に入力電流波形が歪んでしまった。従来装置ではこれらの問題に対処できなかった。そこで、それらの種類の影響を受けない高周波誘電加熱回路を作ることが課題となっている。
【００２６】
同じく（ｂ）について見ると、３種類のマグネトロンの特性図はマグネトロンから見た加熱室のインピーダンスマッチングの良、悪を示している。インピーダンスマッチングが良の場合、ＶAK1（＝ｅbm）が最大で、以下悪くなるにしたがって小さくなってゆく。このようにマグネトロンのこの非線形特性は、インピーダンスマッチングの良、不良でも大きく異なるので、それらの種類の影響を受けない高周波誘電加熱回路を作ることが課題となっている。
【００２７】
同じく（ｃ）について見ると、３種類のマグネトロンの特性図はマグネトロンの温度の高低を示している。温度が低い場合、ＶAK1（＝ｅbm）が最大で、以下次第に温度が高くなるにしたがってｅbmは低くなってゆく。したがって、マグネトロンの温度を低い方に合わせると、マグネトロンの温度が高くなったときに入力電流波形が歪んでしまうことが起きた。
【００２８】
このようにマグネトロンの非線形特性は、マグネトロンの温度の違いでも大きく異なるので、それらの種類の影響を受けない高周波誘電加熱回路を作ることが課題となっている。
【００２９】
そこでこれらの課題を解決するために、図２２に示すように電源電圧検知手段２７で検知した商用電源電圧波形を変調部２１で加工・整形した変調波形を用いて半導体スイッチング素子３，４の駆動パルス周波数を変調し、入力電流波形が正弦波に近づくように「見込み制御方式」による波形整形を実施して半導体スイッチング素子３，４を駆動する方式が提案されている。
【特許文献１】特開２０００−５８２５２号公報
【特許文献２】特開２００４−６３８４号公報
【発明の開示】
【発明が解決しようとする課題】
【００３０】
しかしながらこのような「見込み制御方式」によっても、前述したマグネトロンの種類や特性のバラツキ、それにマグネトロンのアノードの温度や電子レンジ内の負荷によるｅbm（アノード・カソード間電圧）変動、さらに電源電圧変動に対してまでは波形整形が追従しきれていない、ということが判明した。
【００３１】
更に、第一の半導体スイッチング素子３の最初のオン動作開始直前の平滑回路の出力電圧波形は商用電源の位相に関係なく直流になるので、商用電源電圧波形を加工・整形した変調波形の採用に伴い、上記オン動作開始の商用電源位相を、この変調波形から決まるオン時間幅（１／周波数）が最も小さくなる位相、すなわち９０度、２７０度付近に制御して、マグネトロンに過大電圧が掛かることを防止する必要があり、このための制御調整が複雑になるという問題があった。
【００３２】
また、前述したマグネトロンの特性変動等に追従した電源電流波形整形を実現させるために、波形基準信号を作成し、この波形に入力電流波形が追従するように半導体スイッチング素子の駆動パルス周波数を変調制御する方式があるが、回路構成が複雑、大規模になるという問題があった。
【００３３】
また、公知のようにマグネトロンは真空管の一種であるため、そのヒータに電流を供給してから電磁波を発振出力するまでの遅れ時間（以下、起動時間と略記する）が生ずる。上記ヒータ電流を高めることで、この起動時間は短縮されるものの、起動時間内はマグネトロンのアノードとカソード間のインピーダンスは無限大のため、その両端に印加される電圧が過剰に高くなるおそれがあり、この弊害を防止する対策が必要になるという問題があった。
【００３４】
そこで、本発明は、装置の構成を簡易化して、装置の小型化を図り、マグネトロンの種類やその特性にバラツキがあっても、またマグネトロンのアノードの温度や電子レンジ内の負荷によるｅbm（アノード・カソード間電圧）変動、さらに電源電圧変動があっても、それらの影響を受けない高周波誘電加熱用電力制御装置およびその制御方法を提供することを目的としている。
【００３５】
また、マグネトロンの印加電圧が各部の耐電圧に対して過大にならないように、かつ起動時間を短縮した高周波誘電加熱方法および装置を提供することを目的としている。更に、小さい値に電力制御されているときには、マグネトロンの非線形負荷による影響が大きくなるが、その際の力率低下を抑制できる高周波誘電加熱用電力制御装置およびその制御方法を提供することを目的としている。
【課題を解決するための手段】
【００３６】
本発明は、交流電源の電圧を整流して得られる直流電源に、２個の半導体スイッチング素子からなる直列回路、共振回路、リーケージトランスを接続し、前記半導体スイッチング素子のスイッチング周波数を変調して高周波電力に変換し、リーケージトランスの２次側に発生する出力をマグネトロンに印加して付勢するマグネトロン駆動用のインバータ回路を制御する高周波誘電加熱用電力制御装置であって、前記交流電源からの前記インバータ回路への入力電流の波形を検知し、入力電流波形情報を出力する入力電流検出部と、前記交流電源からの前記インバータ回路への入力電圧の波形を検知し、入力電圧波形情報を出力する入力電圧検出部と、前記入力電流検出部と前記入力電圧検出部との間に接続される選択部と、前記選択部と前記半導体スイッチング素子との間に接続される変換部と、を備え、前記入力電圧波形情報は、前記マグネトロンの発振時において、前記入力電圧波形情報の振幅が、最大入力電流の５０％から２０％時の入力電流波形情報の振幅程度になるように設定し、前記選択部は、前記入力電流波形情報と前記入力電圧波形情報のうち大きい方を選択し、前記変換部は、選択された前記入力電流波形情報と前記入力電圧波形情報のいずれかを、オン・オフ駆動信号のスイッチング周波数を変調する変調信号とし、瞬時波形情報の大きい部分はスイッチング周波数を高くする極性に、前記瞬時波形情報の小さい部分はスイッチング周波数を低くする極性に、前記インバータ回路の前記半導体スイッチング素子のオン・オフ駆動信号に変換するものである。
【００３７】
前記選択部は、前記入力電流検出部及び前記変換部の間に接続され、前記入力電流波形情報及び前記入力電圧波形情報のいずれかと、前記インバータ回路の任意の箇所における電流又は電圧が所定値になるように制御する電力制御情報とをミックスし、スイッチング周波数制御信号を生成するミックス回路を更に設け、
前記変換部は、前記マグネトロンに印加される電圧のピークが抑制されるように、前記スイッチング周波数制御信号を前記駆動信号に変換するよう構成することができる。  
【００３８】
前記変換部は周波数制限部を備え、前記高周波スイッチング周波数に上限、ないし下限を設けることが好ましい。
【００３９】
前記変換部はデューティ制御部を更に有し、少なくとも前記高周波スイッチング周波数が前記周波数制限部の上限に制限される範囲は、前記高周波スイッチングのオンデューティを制御するデューティ制御で補完するよう構成され得る。
【００４０】
前記ミックス回路は、前記入力電流波形情報及び前記入力電圧波形情報のいずれかと、前記入力電流検出部の出力が所定値になるように制御する電力制御情報とをミックスし、スイッチング周波数制御信号を生成するように構成してもよい。さらに、前記入力電流波形情報及び前記入力電圧波形情報を、直接前記ミックス回路に入力し、当該ミックス回路は直接入力された入力電流波形情報及び入力電圧波形情報のいずれかを選択し、前記電力制御情報とミックスするような構成にしてもよい。
【００４１】
前記入力電流検出部は、前記入力電流を検知する変流器と、検知された前記入力電流を整流し、出力する整流回路とを有するものであってもよい。また、前記入力電流と出力設定信号と比較して前記電力制御情報を出力する比較回路を更に設けることができる。
【００４２】
一方、前記入力電流検出部は、前記インバータ回路の入力電流を整流した後の単一方向電流を検知して出力するように構成することができる。ここで、前記入力電流検出部には、前記インバータ回路の入力電流を整流した後の単一方向電流を検知するシャント抵抗と、当該シャント抵抗の両端に生ずる電圧を増幅する増幅回路を有するように構成され得る。さらに前記増幅回路により得られた出力を、前記入力電流波形情報として直接前記ミックス回路に入力し、前記増幅回路により得られた出力と出力設定信号と比較して前記電力制御情報を出力する比較回路を更に備えるものであってよい。
【００４３】
前記ミックス回路は、前記電力制御情報の高域成分をカットする構成、また、前記入力電流の増加制御時と前記入力電流の減少制御時との間で回路構成が切り替わる構成を備えてもよい。前記ミックス回路は、前記入力電流の増加制御時には時定数が増加し、前記入力電流の減少制御時には時定数が減少するよう構成されうる。
【００４４】
また、前記ミックス回路には、前記共振回路の共振回路電圧を所定値に制御する共振回路電圧制御情報が入力され、前記共振回路電圧の大きさに応じて回路構成が切り替わるよう構成してもよい。ここで前記ミックス回路は、前記共振電圧が低い場合には時定数が増加し、前記共振電圧が高い場合には時定数が減少するよう構成されうる。
【００４５】
さらに、前記入力電流検出部には、商用電源の高次周波数部分および高周波スイッチング周波数等の高周波部分を減衰するフィルタ回路を設けることができ、さらに前記フィルタ回路に位相進み補償を付加することもできる。
【００４６】
また、前記入力電圧検出部は、前記交流電源からの前記インバータ回路への入力電圧を検知する一組のダイオードと、当該ダイオードにより検出された入力電圧を波形整形して出力する整形回路と、から構成されうる。前記整形回路は、前記入力電圧の高次周波数部分を減衰する構成を有してもよく、位相進み補償を更に有してもよい。
【００４７】
また、前記変換部は、前記スイッチング周波数制御信号でその周波数が設定される搬送波とスライス制御信号を重ね合わせて、前記半導体スイッチング素子の駆動信号を生成する周波数変調回路より構成され得る。
【００４８】
また、前記マグネトロンの発振を検知する発振検知回路を更に設け、当該発振検知回路によって検知されたマグネトロンの発振及び非発振に応じて、前記入力電圧検出部からの前記入力電圧波形情報の大きさを切替えるよう構成することもできる。
【００４９】
更に本発明は、交流電源の電圧を整流し、半導体スイッチング素子の高周波スイッチング周波数を変調して高周波電力に変換するインバータ回路を制御する高周波誘電加熱用電力制御方法を提供し、該方法は、前記交流電源からの前記インバータ回路への入力電流を検知するステップと、前記入力電流に対応した入力電流波形情報を取得するステップと、
前記交流電源からの前記インバータ回路への入力電圧を検知するステップと、前記入力電圧に対応した入力電圧波形情報を取得するステップと、前記入力電流波形情報と前記入力電圧波形情報のうち大きい方を選択するステップと、選択された前記入力電流波形情報と前記入力電圧波形情報のいずれかを、前記インバータ回路の半導体スイッチング素子の駆動信号に変換するステップと、
を備える。
【発明の効果】
【００５０】
本発明によれば、交流電源電圧を整流して所定周波数の交流に変換するインバータ回路の入力電流波形情報が、その瞬時変動が抑制されるようなインバータ回路の半導体スイッチング素子の駆動信号に変換される。例えば、入力電流波形情報を周波数変調方式によりインバータ回路の半導体スイッチング素子のオン・オフ駆動信号の周波数に変換して使用する。従って、入力電流が大きい部分はスイッチング周波数を高く、小さい部分はスイッチング周波数を低くなるようにして入力電流を補正する制御ループが構成される。従って、マグネトロンの種類やその特性にバラツキがあっても、またマグネトロンのアノードの温度や電子レンジ内の負荷によるｅｂｍ（アノード・カソード間電圧）変動、更に電源電圧変動があっても、これらの影響を受けない入力電流波形整形が、より簡単な構成で得られるようになり、マグネトロンの安定出力が簡単な構成で達成される。
【００５１】
また、この補正ループに入力電圧波形情報も入力しているので、マグネトロンの起動時間が短縮され、且つ、低入力電流時の力率が改善される。
【発明を実施するための最良の形態】
【００５２】
以下、本発明の実施の形態について、添付図面を用いて詳細に説明する。
【００５３】
（実施の形態１）
図１は本発明の実施の形態１に係る高周波加熱装置を説明するブロック図である。図１において、高周波加熱装置はインバータ回路４０と、インバータの第一、第二の半導体スイッチング素子３，４を制御する制御回路４５と、マグネトロン１２とからなる。インバータ回路４０は、交流電源５０と、ダイオードブリッジ型整流回路６０と、平滑回路６１と、共振回路３６と、第一、第二の半導体スイッチング素子３，４、倍電圧整流回路１１とを含む。
【００５４】
交流電源５０の交流電圧は４個のダイオード６３から成るダイオードブリッジ型整流回路６０で整流され、インダクタ６４と第三のコンデンサ７から成る平滑回路６１を経て、直流電源１に変換される。その後、第一のコンデンサ５、第二のコンデンサ６とトランス４１の１次巻線８から成る共振回路３６と第一，第二の半導体スイッチング素子３，４により高周波交流に変換され、トランス４１を介してその２次側巻線９に高周波高圧が誘起される。
【００５５】
２次側巻線９に誘起された高周波高圧は、コンデンサ６５、ダイオード６６、コンデンサ６７、ダイオード６８から成る倍電圧整流回路１１を介して、高電圧がマグネトロン１２のアノード６９とカソード７０間に印加される。また、トランス４１には３次巻線１０があって、これによりマグネトロン１２のヒータ（カソード）７０を加熱する。以上がインバータ回路４０である。
【００５６】
次に、インバータ回路４０の第一、第二の半導体スイッチング素子３，４を制御する制御回路４５について説明する。まず、交流電源５０とダイオードブリッジ型整流回路６０との間に設けられたＣＴ（Current Transformer；変流器）７１等より構成される電流検知部が、整流回路７２に接続され、ＣＴ７１と整流回路７２よりインバータ回路への入力電流を検知する入力電流検出部が構成される。インバータ回路への入力電流はＣＴ７１で絶縁・検出され、その出力は整流回路７２で整流され、入力電流波形情報９０が生成される。
【００５７】
整流回路７２により得られた電流信号は、平滑回路７３で平滑化され、これと、他方の加熱出力設定に対応した出力設定信号を出力する出力設定部７５からの信号を比較回路７４で比較する。なお、比較回路７４は電力の大きさを制御するため、平滑回路７３で平滑化された入力電流信号と出力設定部７５からの設定信号の比較を行う。従って、平滑回路７３で平滑化された入力電流信号の代わりにマグネトロン１２のアノード電流信号や、あるいは第一、第二の半導体スイッチング素子３，４のコレクタ電流信号等を入力信号として用いることもできる。すなわち、比較回路７４は、入力電流検出部の出力が所定値になるように制御する電力制御情報９１を出力するが、比較回路７４、電力制御情報９１は後述するように本発明にとって必須ではない。
【００５８】
同様に、図２に示す実施の形態２のようにダイオードブリッジ型整流回路６０と平滑回路６１間に設けたシャント抵抗８６よりなる電流検知部と、その両端電圧を増幅する増幅回路８５とで入力電流検出部を構成し、その出力を入力電流波形情報９０としてもよい。シャント抵抗８６は、ダイオードブリッジ型整流回路６０により単一方向に整流された後の入力電流を検知する。
【００５９】
他方、本実施の形態において制御回路４５は、交流電源５０の電圧を検知して整流する一組のダイオード４６と、整流された電圧を波形整形し、入力電圧波形情報４９を生成する整形回路４７とからなる入力電圧検出部をも備える。
【００６０】
本実施の形態では、ミックス回路８１内において、入力電流波形情報９０と入力電圧波形情報４９の大きい方を選択し、選択された情報と比較回路７４からの電力制御情報９１とをミックス回路８１でミックスしフィルタリングしてスイッチング周波数制御信号９２を出力する。ノコギリ波発生回路８３より出力されるノコギリ波８４は後述されるように前記スイッチング周波数制御信号９２により周波数変調される。
【００６１】
コンパレータ８２は前記ノコギリ波８４と、後述するスライス制御信号８７を比較して矩形波に変換し、得られる矩形波がドライバを介して第一，第二の半導体スイッチング素子３，４のゲートに与えられる。
【００６２】
スイッチング周波数制御信号９２で周波数変調されたノコギリ波発生回路８３からのノコギリ波とコンパレータ８２で比較して、インバータ回路の半導体スイッチング素子をオン・オフ制御するというように、入力電流波形情報検出系を簡略化している。特に本実施の形態では、入力電流波形情報９０が直接ミックス回路８１に入力されるという簡略化された構成を採用している。
【００６３】
尚、上記したスイッチング周波数制御信号９２から第一，第二の半導体スイッチング素子３，４の駆動信号を生成する部分は、交流電源５０からの入力電流が大きい部分はスイッチング周波数が高く、入力電流が小さい部分はスイッチング周波数が低くなるように、スイッチング周波数制御信号９２をインバータ回路の半導体スイッチング素子の駆動信号に変換する変換部として構成されていればよく、この構成には限定されない。
【００６４】
また入力電流波形情報９０に対する半導体スイッチング素子３，４のオン・オフ制御は、入力電流が大きい時はスイッチング周波数が高く、逆に小さい時はスイッチング周波数が低くする極性で変換される。同様に入力電圧波形情報４９も、入力電圧が大きい時はスイッチング周波数が高く、逆に小さい時はスイッチング周波数が低くする極性で変換される。従って、そのような波形とするべく、入力電流波形情報と入力電圧波形情報は後述するミックス回路８１内で反転処理して使用される。
【００６５】
図３はノコギリ波（搬送波）発生回路８３の詳細な回路図である。コンパレータ１６４、１６５の出力はそれぞれＳＲフリップフロップ１６６のＳ端子とＲ端子に入れられる。コンデンサ１６３への充放電はＳＲフリップフロップ１６６の非Ｑ端子の出力極性で切り換り、Ｈｉの時は電流Ｉ１０にて充電、Loの時は電流Ｉ１１にて放電される。またＳＲフリップフロップ１６６の非Ｑ端子はコンデンサ１６３の電位がＶ１を超えた時、コンパレータ１６４の出力Ｈｉを受けてセットされてＬｏに、Ｖ２を下回った時コンパレータ１６５の出力Ｈｉを受けてリセットされてＨｉに切り換る。
【００６６】
このような構成によりコンデンサ１６３の電位はノコギリ波状（三角波）になり、この信号がコンパレータ８２へ搬送される。
【００６７】
また、コンデンサ１６３への充放電電流Ｉ１０、Ｉ１１は、スイッチング周波数制御信号９２の電圧とＶｃｃとの電位差を抵抗の値で除した電流Ｉ１２が反映されて決定され、この電流の大きさにより三角波の勾配が変わる。したがって、スイッチング周波数制御信号を反映したＩ１０、Ｉ１１の大きさでスイッチング周波数が決定される。
【００６８】
図５（ａ）にミックス回路８１の１例を示す。ミックス回路８１の入力端子は３つあり、それぞれに電力制御情報９１、入力電流波形情報９０、入力電圧波形情報４９が加えられ、図のような内部回路でミックスされる。
【００６９】
また、図５（ｂ）のように、電力制御情報９１からミックス回路８１出力間には、交流等価回路で示されるように、高周波カットフィルタが構成される。これによって入力電流波形を整形するための入力電流波形情報９０に対して妨害になっていた電力制御に含まれる高周波成分は、このフィルタによりカットされる。
【００７０】
また、図５（ｃ）に示すように、入力電流波形情報９０及び入力電圧波形情報４９から出力間には、ミックス回路８１に交流等価回路で示されるように、低周波カットフィルタが構成される。したがって、電力制御情報９１はミックス回路８１出力の直流成分に、また入力電流波形情報９０及び入力電圧波形情報４９は交流成分に変換されることになる。
【００７１】
実施の形態１は、以上のように、入力電流波形情報９０と入力電圧波形情報４９の大きい方の信号を選択し、インバータ回路の半導体スイッチング素子３，４のスイッチング周波数に変換して使用するものである。一般に電子レンジ等に使用されるインバータは周知であり、５０〜６０サイクルの商用交流電源を整流して直流に変換し、変換した直流電源をインバータにより、例えば、２０ｋＨｚ〜５０ｋＨｚ程度の高周波に変換し、変換した高周波を昇圧トランスで昇圧し、さらに倍電圧整流回路で整流した高電圧をマグネトロンに印加するものである。
【００７２】
インバータの回路方式としては、例えば、商用電源が１００Ｖ地域等でよく使用されるような半導体スイッチング素子を１つ使用してスイッチングを行い、スイッチングパルスのオン時間を変えて出力を変える、いわゆる一石式電圧共振型回路を用いたオン時間変調方式と、本発明の図１や、特許文献１の図２１等に示すような、直列接続された二つの半導体スイッチング素子３，４を交互にオンさせ、そのスイッチング周波数を制御して出力を変化させる（ハーフ）ブリッジ式電圧共振型回路方式の２通りがある。ブリッジ式電圧共振型回路方式は、スイッチング周波数を高くすれば出力は低下し、スイッチング周波数を低くすれば出力が増加する、というようにシンプルな構成・制御が可能な方式である。
【００７３】
図６は本発明の実施の形態１により得られる波形を説明する図である。この例は、マグネトロンが通常に発振しているとき、すなわち通常運転時の状況であり、入力電流波形情報と入力電圧波形情報の双方が、スイッチングトランジスタ３，４の駆動信号に変換して使用される。
【００７４】
図６において、（ａ）は入力電流が大きい場合、（ｂ）は入力電流が小さい場合である。また、後述するように、実線は以下の説明で主に用いられる本発明の電力制御装置による補正後の信号形状を表わし、破線は交流電源５０からの補正前の瞬時変動する出力の信号形状を表わす。
【００７５】
図６（ａ）において、上から（イ）の入力電流波形情報の波形は、図１では整流回路７２の出力で、図２では増幅回路８５の出力である入力電流波形情報９０であって、点線はマグネトロンの非線形負荷特性に起因する補正前の波形を示している。また、（イ）の入力電圧波形情報の波形は整形回路６２からの出力である入力電圧波形情報９４である。図６（ａ）の（ロ）は、ミックス回路８１の補正出力であるスイッチング周波数制御信号９２で、このスイッチング周波数制御信号９２は入力電流波形情報９０、入力電圧波形情報９４、電力制御情報９１に追従してその大きさが変化し、更に、入力電流の歪み分を相補・補正するために（イ）の反転波形として出力されている。
【００７６】
図６（ａ）の（ハ）は、（ロ）で示したスイッチング周波数制御信号で周波数変調されたノコギリ波（搬送波）とスライス制御信号を示し、（二）で示す第一，第二の半導体スイッチング素子３，４のオン・オフ信号である駆動信号が生成される。
【００７７】
この二つの駆動信号はオン・オフが相補関係になる。
【００７８】
コンパレータ８２に周波数変調されたノコギリ波（搬送波）８４とスライス制御信号８７を入力して比較し、得られる第一，第二の半導体スイッチング素子の駆動信号は図（ニ）のようにノコギリ波と同様の周波数変調を受ける。
【００７９】
つまり図示のように、スイッチング周波数制御信号の振幅値が大きい部分（０度、１８０度近傍、入力電流は小さい部分）では、ノコギリ波の周波数が低いので前述した共振特性から入力電流を上げる極性に補正される。又、スイッチング周波数制御信号の振幅値が小さい部分（９０度、２７０度近傍、入力電流は逆に大きい部分）は、ノコギリ波の周波
数が高いので前述した共振特性から入力電流を下げる極性に補正するという（ニ）のような周波数のパルス列を半導体スイッチング素子の駆動信号として出力する。つまり、入力電流波形情報及び入力電圧波形情報（イ）に対してスイッチング周波数制御信号（ロ）は補正波形として反転しているので、入力電流波形情報及び入力電圧波形情報（イ）の入力が大きい（９０度、２７０度近傍）部分では、（ニ）のパルス列信号のように周波数を高くし、入力電流波形情報及び入力電圧波形情報（イ）の入力が小さい（０度、１８０度のゼロクロス近傍）部分では、周波数を低くするという、（イ）とは逆の反転出力に変換するものである。これによって入力波形の補正効果が得られるが、特にこの効果はゼロクロス近辺にて大きい。
【００８０】
下段の（ホ）の波形は、第一，第二の半導体スイッチング素子３，４のスイッチング周波数を示し、（イ）に示す入力電流波形情報及び入力電圧波形情報を反転した補正波形のスイッチング周波数制御信号（ロ）で高周波のノコギリ波に周波数変調し、周波数変調されたノコギリ波とスライス制御信号とを比較することで、２０ｋＨｚ〜５０ｋＨｚ等の高周波にインバータ変換されて、（ニ）の駆動信号が生成される。この駆動信号（ホ）に応じて半導体スイッチング素子３，４はオン・オフ駆動され、高周波電力を昇圧トランス１次側に入力し、昇圧トランス２次側に昇圧された高圧を発生する。（ホ）はこのオン・オフ信号（ニ）の各パルスの周波数が商用電源の周期内でどのように変化しているかを視覚化するために、それぞれの周波数情報をＹ軸にプロットし、その各点を結んだものである。
【００８１】
上述の説明は、交流電源５０からの入力電流が理想的な状態（例えばサイン波）で得られる場合の状態と同一の信号を示している。しかしながら、一般的に交流電源５０からの入力電流は、瞬時的に見れば理想的なサイン波から乖離し、変動している。このような現実的な状態を示すのが破線の信号である。この破線で示すように、商用電源の半周期（０から１８０度）という瞬時の期間でみても、現実の信号は理想信号の状態から乖離し、瞬時変動が生じているのが一般である。このような信号形状は、トランス、倍電圧回路による昇圧作用、倍電圧回路の平滑特性、かつ電圧がｅbm以上のみのときだけアノード電流が流れるマグネトロン特性等により発生する。すなわち、マグネトロン用のインバータ回路においては不可避的な変動ということができる。
【００８２】
本発明の電力制御装置では、入力電流の変動状態を反映した破線で示された入力電流波形情報（（イ）参照）が入力電流検出部より得られ、入力電流波形情報が選択された場合（図６（ａ））、この入力電流波形情報を元にその後の制御がなされる。この制御は、例えば半周期の如き期間で発現する入力電流波形情報の瞬時変動が、矢印で示すように理想的な信号に近づくよう抑制されるように行なわれる。そして、この抑制は第一，第二の半導体スイッチング素子３，４の駆動信号を調整することにより達成される。具体的には、入力電流波形情報９０が理想信号より小さい場合は、上述した周波数がより低くなり、入力電流を増す補正がなされる。入力電流波形情報が理想信号より大きい場合は、上述した周波数がより高くなり、入力電流を減らす補正がなされる。さらに短い期間の瞬時変動においても、その変動した波形が周波数情報に反映されて、上記同様の補正がなされる。
【００８３】
駆動信号が与えられた第一，第二の半導体スイッチング素子３，４の瞬時変動抑制作用により、入力電流波形情報９０には、矢印で示すような補正がなされ、常時理想波に近い入力がマグネトロンに与えられることとなる。尚、修正後の（ロ）及び（ハ）の図示は省略している。ここで、上記した理想信号は仮想信号であるが、この信号は正弦波になる。
【００８４】
すなわち、商用電源の半周期の如き短い期間において、理想信号波形と入力電流波形情報の瞬時誤差あるいは補正量の総和は、他の手段で入力電流の大きさ等が制御（電力制御）されているので略ゼロである。また、非線形負荷に起因して入力電流が流れない部分は流す方向に補正されるので、入力電流が大きい部分を減少させて上記略ゼロを成立させている。これは、非線形負荷であっても、その電流波形があたかも線形負荷とみなせるように補正することであり、商用電源電圧波形は正弦波なので、線形負荷に流れる電流波形と同じく、理想波形は正弦波になる。
【００８５】
このように入力電流波形の変化や、理想波形に対する過不足を打ち消すように、その波形の逆極性で入力電流が補正される。したがって、マグネトロンの非線形負荷によって生じる商用電源周期内の急激な電流変化、すなわち歪はこの制御ループで打ち消され、入力電流波形整形が行なわれることになる。
【００８６】
更に、このように、入力電流の瞬時値に追従した入力電流波形情報で制御ループが動作するので、マグネトロンの種類やその特性にバラツキがあっても、またマグネトロンのアノードの温度や電子レンジ内の負荷によるｅbm（アノード・カソード間電圧）変動、さらに電源電圧変動があっても、それらの影響を受けない入力電流波形整形がなされることができる。
【００８７】
特に本発明では、瞬時変動する入力電流波形情報を元に半導体スイッチング素子の制御がなされる。入力電流の瞬時変動が、入力電流波形情報という形にて直接ミックス回路８１に入力され、スイッチング周波数制御信号９２にも反映されるため、入力電流波形歪の抑制や、瞬時変動に対する追随性の優れた半導体スイッチング素子の駆動信号を得ることができる。
【００８８】
本発明の主題は、入力電流波形の歪や瞬時変動が抑制されるような情報を有する入力電流波形情報又は入力電圧波形情報をインバータ回路の半導体スイッチング素子の駆動信号に変換するということである。当該目的達成のためには電力制御情報９１は特に必須ではない。電力制御情報９１は長期的な期間、すなわち商用電源周期程度より長い周期での電力変動を制御するための情報であり、本発明が狙う交流の半周期の如き短期間、瞬時の変動を補正する情報ではないからである。従って、ミックス回路８１、コンパレータ８２、ノコギリ波発生回路８３の採用も実施形態の一例に過ぎず、ミックス回路８１として少なくとも入力電流波形情報及び入力電圧波形情報のうち大きい方を選択する選択部、これらの情報を半導体スイッチング素子の駆動信号に変換する変換部に相当するものが、入力電流検出部と半導体スイッチング素子の間に存在すればよい。
【００８９】
また、電力制御情報を用いる場合においても、上述の実施形態の様に入力電流検出部の出力が所定値になるように制御する電力制御情報９１をミックス回路８１に入力することは必須ではない。すなわち上述の実施の形態では、電力制御情報９１は、入力電流を検知する電流検知部７１及び整流回路７２（図１）又はシャント抵抗８６及び増幅回路８５（図２）をその起源としているが、インバータ回路４０の任意の箇所における電流又は電圧が所定値になるように制御する情報を電力制御情報として、ミックス回路８１に入力することができる。例えば、図１、図２で示したような共振回路６２の共振回路電圧情報４２をそのまま、又は平滑回路７３による平滑化及び比較回路７４における出力設定信号との比較を経た後の情報を電力制御情報として使用することができる。
【００９０】
次に、図６（ｂ）は図６（ａ）に対して入力電流の小さい場合を比較して示したもので、（ト）は入力が小さい場合の入力電流波形情報で、図６（ａ）の（イ）に対応し、（チ）はスイッチング周波数制御信号で、（リ）は半導体スイッチング素子のスイッチング周波数で、夫々図６（ａ）の（ロ）、（ホ）に対応している。また、図示は省略しているが、図６（ａ）の（ハ）、（ニ）に示したノコギリ波の比較処理は、ここでも同一の処理が行なわれることは、勿論である。
【００９１】
ところで、図６（ｂ）のように入力電流が比較的小さい場合、入力電流波形情報の値も小さいものとなるため、入力電流の波形整形能力が低下する。そこで本発明では、図６（ｂ）のように、入力電圧波形情報（点線）が入力電流波形情報より大きい場合、入力電圧波形情報を波形整形に使用する。尚、本実施形態では、入力電圧を減衰させて入力電圧波形情報とし、入力電流を電圧に変換させて入力電流波形情報とすることにより、両者の大きさが直接比較できるようになっている。
【００９２】
このように入力電流を小さく制御している時には、入力電流波形情報は小さくなり、入力電流波形整形能力が低下する。しかし電流波形より大きい入力電圧波形情報を選択して、入力電流波形整形を行うので、入力電流波形整形能力の低下は抑制される。従って、入力電流が小さい場合においても、力率が大幅に低下することが防止され得る。この入力電圧波形情報の振幅（入力電流が小さいか否かを判定する閾値）は、最大入力電流の例えば５０％から２０％時の入力電流波形情報の振幅程度になるように、商用電源電圧波形からの減衰率（分圧比）を設定することで実現できる。
【００９３】
以上の図６に基づく説明は、マグネトロンの通常運転時に関する説明である。次に、マグネトロンの起動時における作用について説明する。起動時とは、マグネトロンに電圧が印加されているが、発振はしておらず、発振が開始する前の準備段階の状態をいう。（非発振時に相当）。このとき、定常運転時と異なり、そのアノードとカソード間のインピーダンスは無限大に等しくなる。
【００９４】
ところで、本発明においては、商用の交流電源５０からの電圧にスイッチング周波数制御方式による電力制御を掛け合わして、すなわち商用電源電圧をスイッチング周波数変調方式による電力制御で振幅変調して、トランス４１の一次側に印加している。そして、この一次側の印加電圧のピーク値がマグネトロン１２への印加電圧に関連し、印加電圧と経過時間から定義される面積がヒータへの供給電力に関連する。
【００９５】
本発明では、入力電流波形情報９０が小さい起動時においても、入力電圧波形情報４９をミックス回路８１に入力するように構成している。すなわち特に起動時における参照信号としての入力電流の不足を、入力電圧が補う形式を採用している。
【００９６】
図７は、入力電圧波形情報を付加した場合と付加しない場合の動作を比較説明するための図であり、図７（ａ）は上から順に、入力電圧波形情報を付加しない場合のスイッチング周波数制御信号、スイッチング周波数、トランス一次側の印加電圧、マグネトロン印加電圧と、ヒータ入力電力の各波形を示している。
【００９７】
図７（ｂ）は、入力電圧波形情報を付加した場合（起動時）の動作を説明する。図７（ａ）、図７（ｂ）はともに後述する実施の形態７等の構成により、トランス一次側の印加電圧のピーク値が制限された場合を示している。さらに図７（ｂ）では、付加される入力電圧波形情報の作用で、トランス１次側印加電圧、マグネトロン印加電圧のピークが抑圧され、波形は台形を示している。なお、この図７（ｂ）も図６（ａ）と同様、上からスイッチング周波数制御信号、スイッチング周波数、スライス制御信号、トランス１次側印加電圧、マグネトロン印加電圧、ヒータ入力電力の各波形を示している。
【００９８】
図７で示したように、位相０度、１８０度付近では、半導体スイッチング素子のスイッチング周波数は低いため、トランス１次側印加電圧、マグネトロン印加電圧は比較的増幅幅が大きくなる。一方、位相９０度、２７０度付近では、半導体スイッチング素子のスイッチング周波数は高いため、増幅幅は比較的抑圧され、位相０度、１８０度における増幅幅との相対的な関係から、波形の全体図が台形になり、ピークが抑圧されたような形状を示す。
【００９９】
図７（ａ）と図７（ｂ）のマグネトロン印加電圧を比較してみると、マグネトロン印加電圧が同一の場合、ヒータ入力電力を示す波形面積は、図７（ｂ）のほうが大きい。すなわち図７（ｂ）のほうがヒータ入力電力は増大するので、ヒータは短時間で熱せられ、起動時間を短縮することが可能となる。
【０１００】
図８は本発明の実施の形態１に用いられる、入力電流波形情報と入力電圧波形情報のいずれか大きい方を選択して反転する比較反転回路（比較選択回路；大小比較・切替・反転回路）の一例を示す図である。この比較選択回路は、図５、図１０、図１１に示すようにミックス回路８１内に設けられている。
【０１０１】
入力電流波形情報９０と入力電圧波形情報４９は、各々バッファトランジスタに入力され、その出力はエミッタ抵抗及びコレクタ抵抗を共通にした二つのトランジスタに入力される。バッファトランジスタは、入力電流波形情報９０と入力電圧波形情報４９の干渉を防ぐために設けられる。二つのトランジスタの共通のエミッタ抵抗の共通接続点には、トランジスタのダイオード特性より入力信号が大きい方が選択出力され、選択された信号が入力されている方のトランジスタが導通する。導通したトランジスタのエミッタ電流及びコレクタ電流は、その入力された信号の大きさを反映する。そして、共通のコレクタ抵抗の共通接続点の電位には、上記コレクタ電流の大きさが反映される。
【０１０２】
ここで、エミッタの電圧が高くなると上記コレクタ電流が大きくなり、共通のコレクタ抵抗の電圧降下が大きくなる、すなわちコレクタ電圧は下がるので、入力信号に対してコレクタ電圧は極性が反転する。またコレクタ抵抗とエミッタ抵抗との抵抗値比で信号の変換係数も変わる。電力制御信号との干渉という面では、共通コレクタ接続点の信号はバッファを介してインピーダンス変換して、その後のコンデンサに接続するほうがより効果的である。このように、この回路においては、二つの信号の大きさ判定及び選択が自動的に行なわれ、かつ選択された信号は反転して出力する。
【０１０３】
（実施の形態２）
本発明の実施の形態２は、入力電流波形情報と入力電圧波形情報の大きい方の信号を選択し、選択された信号と比較回路７４からの電力制御情報をミックスし、フィルタリング処理してインバータ回路の半導体スイッチング素子３，４のオン・オフ駆動信号に変換して使用するという、制御回路（変換部）の構成についてのものである。
【０１０４】
この構成によれば、商用電源電圧波形情報をマグネトロンの非線形負荷特性に合わせて加工する必要がなく、周波数変調信号作成回路が簡略化され、簡易化、小型化が達成できる。更に、簡単な構成で起動時間の短縮と、マグネトロンのアノード６９−カソード７０間への過大電圧印加を防止する安全策をも付加しているので、製品の信頼性が向上する。
【０１０５】
また、以上のように構成することで、入力電流波形情報９０を用いる制御ループは入力電流の波形整形に特化し、電力制御情報９１を用いる制御ループは電力制御に特化し、ミックス回路８１で、お互いの制御自体は特に干渉しない構成として、変換効率を保持している。
【０１０６】
（実施の形態３）
この実施の形態３は入力電流検出部に関するものであって、図１に示すように、前記入力電流検出部は、インバータ回路の入力電流をＣＴ７１などで検知して、整流回路７２より整流出力するように構成したものである。この構成はＣＴ等を用いて入力電流を検出するので絶縁性を保ちつつ大きい信号が取り出せるので、入力電流波形整形の効果は大きく、入力電流の品質が良くなる。
【０１０７】
また、図２に示す例では、入力電流検出部は、インバータ回路の整流回路６０で整流後の単方向電流を、整流回路６０と平滑回路６１の間に配置されたシャント抵抗８６を介して検知して、その両端に生ずる電圧を増幅回路（アンプ）８５より増幅し、出力するように構成したものである。この構成はその検出部を電子回路と絶縁する必要がなく、また整流する必要もないので、入力電流検出部を安価に構成できる利点がある。
【０１０８】
また図２に示す前記入力電流検出部の増幅回路８５は商用電源の高次周波数部分や、高周波スイッチング周波数等の高周波部分を減衰するように構成して不要な共振を防止している。具体的には、図４の入力電流検出部の詳細図に示すように、図４（ａ）のように増幅回路８５は、高域カット用のコンデンサを用いて、商用電源の高次周波数部分や、高周波スイッチング周波数等の高周波部分を減衰させている。
【０１０９】
更に、増幅回路８５の高域カット用コンデンサの挿入により、図４（ｂ）の位相特性図に示すように、発生する位相遅れをコンデンサに直列に抵抗を挿入して、位相進み補償を付加して過渡な時間遅れを防止し、制御ループの安定性を確保している。図１の整流回路７２においても高周波部分を減衰するような構成や、位相進み補償を付加して過渡な時間遅れを防止する構成を用いることができる。図９に示すように、入力電圧波形情報４９作成部の整形回路４７においても、同様の構成を用いることができる。
【０１１０】
（実施の形態４）
実施の形態４は、図１、図２に示すミックス回路８１に関するもので、図５（ａ）に示すように、入力電流波形情報９０と、入力電圧波形情報４９と、電力制御情報９１を入力する３端子が設けられている。
【０１１１】
入力電流波形情報９０と入力電圧波形情報４９は、図８に示したような加算・反転回路に入力され、加算反転処理がなされる。この処理後の信号と、電力制御情報９１は、各々Ｃ、Ｒ１、Ｒ２で構成されるフィルタ回路に入力され、フィルタリングの後、スイッチング周波数制御信号９２としてノコギリ波発生回路へ出力される。フィルタ回路は、図５（ｂ）の等価回路図に示すように、電力制御出力９１の高域成分をカットするように構成している。このように構成することで入力電流波形整形の妨げとなる高域成分はカットされるので、入力電流波形の品質が向上する。一方、図５（ｃ）の等価回路図に示すように、入力電流波形情報９０及び入力電圧波形情報４９に対しては低域カットフィルタを構成して、波形保全を行っている。
【０１１２】
（実施の形態５）
本発明の実施の形態５は、図１０の実施の形態５に関わるミックス回路の構成図に示すように、入力電流検出部の入力電流波形情報及び入力電圧検出部の入力電圧波形情報、並びに該入力電流検出部の出力が所定値になるように制御する電力制御情報を合成するミックス回路の特性を、入力電流増加制御時と減少制御時とで差を設けて制御するものである。
【０１１３】
図１０（ａ）の構成図では、電力制御情報９１でＳＷ１をオン／オフして、スイッチング周波数制御信号９２を下降／上昇させる。入力電流の増加制御時は、ＳＷ１をオフして図１０（ｂ）の等価回路に示すように、Ｃ＊Ｒ２の時定数でスイッチング周波数制御信号を徐々に上げて半導体スイッチング素子のスイッチング周波数が低くなるように制御している。
【０１１４】
入力電流の減少制御時は、ＳＷ１をオンして、図１０（ｃ）の等価回路に示すように、Ｃ＊｛Ｒ１＊Ｒ２／（Ｒ１＋Ｒ２）｝の時定数でスイッチング周波数制御信号を急速に下
げて半導体スイッチング素子のスイッチング周波数が高くなるように制御している。すなわち、入力電流の増加制御時と入力電流の減少制御時との間で、ミックス回路８１の回路構成が切り替わるものである。特に入力電流の増加制御時には時定数を大きく設定し、入力電流の減少制御時には時定数を小さく設定する。
【０１１５】
このように差を設けることで、通常は緩やかに応答する制御特性と、何らかの要因で入力電流が過渡に上昇した場合、素早い応答で入力電流を減少させて部品破壊等を防止する制御特性を実現できる。また、マグネトロンの非直線性負荷に対する制御特性の安定性も確保できる。
【０１１６】
（実施の形態６）
本発明の実施の形態６は、図１１の実施の形態６に関わるミックス回路の構成図に示すように、前記共振回路の共振回路電圧情報２６を所定値に制御する共振電圧制御情報９３を、前記ミックス回路８１に入力する。
【０１１７】
図１１に示すように、共振回路の共振電圧と基準値とを比較した共振電圧制御情報９３でＳＷ２をオン／オフ制御している。共振電圧が低い場合は、ＳＷ２をオフしてＣ＊Ｒ２の時定数でスイッチング周波数制御信号を徐々に上げて半導体スイッチング素子のスイッチング周波数が低くなるように制御している。共振電圧が高い場合は、ＳＷ２をオンしてＣ＊｛Ｒ２＊Ｒ３／（Ｒ２＋Ｒ３）｝の時定数でスイッチング周波数制御信号を急速に下げて半導体スイッチング素子のスイッチング周波数が高くなるように制御している。すなわち、共振回路の共振電圧の大きさに応じて、ミックス回路８１の回路構成が切り替わるものである。特に、共振電圧が低い場合には時定数が増加し、共振電圧が高い場合には時定数が減少する。
【０１１８】
この制御はマグネトロンが発振していないとき、すなわち前記電力制御が機能していないときのマグネトロンへの過大電圧印加防止に効果がある。また、マグネトロンの発振開始以降は、この制御を無効化して電力制御に影響しないようにするため、共振電圧と比較される基準値をマグネトロン発振開始以前に比べて大きく設定するのが好ましい。
【０１１９】
（実施の形態７）
図１２に示す本発明の実施の形態７では、入力電流波形情報への入力電圧波形情報の付加量を、マグネトロンの発振前と後とで切替える構成が採られている。実施の形態７では、図１における整形回路４７とミックス回路８１との間に切替えスイッチＳＷ３が設けられるとともに、整流回路７２の出力からマグネトロンの発振開始を検知する発振検知回路４８が設けられている。当該発振検知回路４８の出力で、切替えスイッチＳＷ３の整形回路４７との接続点Ａ，Ｂを切替える。整形回路７２には、直列接続された三つの分圧抵抗がダイオード４６とグランド間に設けられ、商用電源電圧から電源電圧情報を分圧・出力している。より商用電源５０に近い接続点Ａの電源電圧情報は、グランドに近い接続点Ｂに比較して商用電源電圧からの減衰量が小さいので大きい。また整形回路７２に設けられたコンデンサは、商用電源から電源電圧情報へのノイズの侵入を抑制する。
【０１２０】
発振検知回路４８の出力から、マグネトロンが起動中であることが検出されているときは、ＳＷ３は接続点Ａ側に切り替えられる。この場合、前述したように接続点Ｂ側への切り替えに比べ、より大きな信号（入力電圧波形情報）がミックス回路８１に入力され、起動時間が短縮される。
【０１２１】
発振開始が発振検知回路４８より検出されると、ＳＷ３は接続点Ｂ側に切り替えられ、信号を減衰させるので、入力電流が大きいときの入力電流波形整形の妨げにならず、かつ入力電流が小さいときの力率は改善される。このようにマグネトロン発振開始以前と以後
とで電源電圧情報の振幅切り替え手段を具備することで、振幅切り替え手段を具備しない場合と発振開始以後の電源電圧情報の振幅を同一に設定した場合であっても、発振開始以前の振幅をより大きく設定できるので、前述した起動時間短縮の効果はより大きくなる。
【０１２２】
図１３は、マグネトロンの発振検知に関する時系列チャートを示し、入力電流の変化に伴う、アノード電流、共振回路の共振電圧の変化をも示す。マグネトロン１２の発振開始以前においては、トランス４１の二次側インピーダンスが非常に大きい、すなわち、マグネトロンのアノード・カソード間のインピーダンスが無限大である。従って、トランスの二次側負荷でほとんど電力消費されず、共振回路の共振電圧を反映する共振電圧制御情報９３が所定値に制御（制限）されているので、発振検知回路４８への入力電流は小さい（図１３のＩｉｎ１）。
【０１２３】
一方、マグネトロン１２の発振開始以降においては、マグネトロンのアノード・カソード間のインピーダンスが小さくなり、トランスの二次側インピーダンスも小さくなる。従って、共振回路の共振電圧が所定値に制御（制限）されたまま、このような重負荷（マグネトロン）を駆動するので、発振検知回路４８への入力電流は発振開始前と比較して大きくなる（図１３のＩｉｎ２）。
【０１２４】
この発振検知回路４８は、たとえば、共振回路の共振電圧が一定レベルに維持されつつも、マグネトロンの発振開始以前と以降とで入力電流に明確に差が生じる特性を利用し、図１３に示したように上記Ｉｉｎ１とＩｉｎ２の間に予め設定した発振検知スレッシュレベルと、入力電流検出部の出力をコンパレータ等で比較し、その出力をラッチする構成等がある。
【０１２５】
（実施の形態８）
本発明の実施の形態８は、図１４の実施の形態８に関わるスイッチング周波数制限回路の構成図に示すように、スイッチング周波数に制限を設ける。
【０１２６】
ノコギリ波発生回路８３に入力される周波数変調信号９４は、スイッチング周波数制御信号９２に固定電圧Ｖ１に依存した第一の制限回路９５と、固定電圧Ｖ２に依存した第二の制限回路９６を通じて、最低電位と最高電位の制限を受け作成される。
【０１２７】
この電位制限はスイッチング周波数制御信号９２とスイッチング周波数の関係より、前者は最高スイッチング周波数を、後者は最低スイッチング周波数を制限される。
【０１２８】
この第一の制限回路９５は最高周波数を制限して、スイッチング周波数が高まった時の半導体スイッチング素子３，４のスイッチング損失増加を防止する。
【０１２９】
また共振回路６２はスイッチング周波数が共振周波数に近づくと異常共振を起こし、半導体スイッチング素子の破壊等を生じるが、第二の制限回路９６は最低周波数を制限して、この現象を防止する機能を有する。
【０１３０】
（実施の形態９）
本発明の実施の形態９は、図１４の実施の形態９に関わるスライス制御信号作成回路の構成図に示すように、第一の制限回路９５より最高周波数制限を受ける範囲を半導体スイッチング素子のオンデューティー制御による電力制御で補完する。
【０１３１】
図１５はブリッジ共振型インバータの、第一のトランジスタ３のオンデューティーと高周波電力との関係を示した図である。オンデューティーが５０％時にピークとなり、デューティーが５０％より下がる、あるいは上がるに従い高周波電力は減少していく。
【０１３２】
また第二のトランジスタのオンデューティーは、第一のトランジスタのオンデューティーと補完の関係にあるので、図１５のＸ軸数値の０と１００を入れ替えて読まれる。
【０１３３】
高周波出力を小さく、すなわち入力電流を小さくするには、前述したようにスイッチング周波数を高くする方向にスイッチング周波数制御信号９２を変化させるが、周波数変調信号９４が第一の制限回路９５より周波数制限を受けている期間はこの電力制御が機能しなくなる。スライス制御信号作成回路９７は第一の制限回路９５と同一の固定電圧Ｖ1とスイッチング周波数制御信号９２を受け、上記期間は電流Ｉ２０を流しスライス制御信号８７が変化するように構成される。
【０１３４】
図１６はＸ軸にスイッチング周波数制御信号９２の電位をとり、この信号に影響される各種信号をＹ軸に取ったものである。（イ）はスイッチング周波数、および周波数変調信号９４を示し、電圧Ｖ１以下は最高周波数を、Ｖ２以上は最低周波数が制限される。（ロ）はスライス制御信号８７が電圧Ｖ1以下の範囲で変化するのを示している。（ハ）、（ニ）は後述するようにスライス制御信号８７を受けて変化する第一、第二の半導体スイッチング素子３，４のオンデューティーを示している。
【０１３５】
図１７は図１６の（ハ）、（ニ）のデューティー変化を視覚化したもので、スライス制御信号８７の変化に追従して、この信号とノコギリ波８４からコンパレータ８２を通じて導き出される第一、第二の半導体スイッチング素子３，４のオンデューティーが変化している。
【０１３６】
上記した第一の制限回路９５より周波数制限を受けていない期間はスライス制御信号８７も変化しないのでオンデューティーは５０％近傍に保たれるが、周波数制限を受けている範囲、すなわち周波数変調による電力制御が機能しない範囲はオンデューティーを下げることで高周波電力を下げるように構成し、補完している。
【０１３７】
また前記補完が成り立つためには、スイッチング周波数制御信号９２電位に対するスライス制御信号８７の変化開始点は、周波数変調による電力制御が機能しなくなる前記Ｖ1を包含していればよく、Ｖ1に限定されるものではない。
【０１３８】
新たに基準電位が必要になるが、Ｖ１より高い電位から変化するように構成すると、高いスイッチング周波数の割合が減少するので、半導体スイッチング素子のスイッチング損失を軽減することができる。
【０１３９】
（実施の形態１０）
本発明の実施の形態１０は、共振回路に関するもので、図１８の構成図に示すように共振回路９８は、第一のコンデンサ５、第二のコンデンサ６とトランス４１の１次巻線８から成る共振回路３６のうち、第一のコンデンサ５を省略している。
【０１４０】
この実施例においても、前記実施例同様、入力電流波形情報９０と入力電圧波形情報４９の大きい方を選択し、選択された情報をスイッチング周波数制御信号に変換し、インバータ回路の半導体スイッチング素子のスイッチング周波数を変調するよう構成することにより、電源高調波電流の抑制が可能になる。
【０１４１】
（実施の形態１１）
本発明の実施の形態１１はインバータ回路の構成に関するもので、図１９に示されるように商用電源を整流して得られる直流電源に２個の半導体スイッチング素子からなる第一，第二の直列回路９９，１００を並列に接続し、トランス４１の１次巻線８と第二のコン
デンサ６が接続された共振回路９８の一端は一方の直列回路の中点に、他端は他方の直列回路の中点に接続する構成をとる。
【０１４２】
この実施例においても、前記実施例同様、入力電流波形情報９０と入力電圧波形情報４９の大きい方を選択し、選択された情報をスイッチング周波数制御信号に変換し、インバータ回路の半導体スイッチング素子のスイッチング周波数を変調するよう構成することにより、電源高調波電流の抑制が可能になる。
【０１４３】
（実施の形態１２）
本発明の実施の形態１２はインバータ回路の構成に関するもので、図２０に示されるように商用電源を整流して得られる直流電源に２個の半導体スイッチング素子からなる第一の直列回路９９を並列に接続し、トランス４１の１次巻線８と第二のコンデンサ６が接続された共振回路９８を交流等価回路において一端は第一の直列回路９９の中点に、他端は直流電源１０１の一端に接続する構成をとる。
【０１４４】
この実施例においても、前記第一の実施例同様、入力電流波形情報９０と入力電圧波形情報４９の大きい方を選択し、選択された情報をスイッチング周波数制御信号に変換し、インバータ回路の半導体スイッチング素子のスイッチング周波数を変調するよう構成することにより、電源高調波電流の抑制が可能になる。
【０１４５】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【０１４６】
本発明の高周波誘電加熱用電力制御によれば、入力電流が大きい部分は小さく、小さい部分は大きくなるように反転して入力電流を補正する制御ループが構成される。従って、マグネトロンの種類、特性によるバラツキ、アノード・カソード間電圧変動、電源電圧変動等があっても、これらの影響を受けない入力電流波形整形が、より簡単な構成で得られるようになり、マグネトロンの安定出力が簡単な構成で達成される。また、この補正ループに、この補正ループに入力電圧波形情報も入力しているので、マグネトロンの起動時間が短縮され、且つ、低入力電流時の力率が改善される。
【図面の簡単な説明】
【０１４７】
【図１】本発明の実施の形態１に係る高周波誘電加熱用電力制御装置の構成図
【図２】本発明の実施の形態３に係る入力電流検出部を有する高周波誘電加熱用電力制御装置の構成図
【図３】図１に示すノコギリ波発生回路の詳細を示す回路図
【図４】（ａ）（ｂ）は図２に示す入力電流検出部の詳細図
【図５】（ａ）（ｂ）（ｃ）は本発明の実施の形態４に係るミックス回路の回路図
【図６】（ａ）（ｂ）は図１に示す高周波誘電加熱用電力制御装置の各部の基本波形を示す図
【図７】（ａ）（ｂ）は図１に示す高周波誘電加熱用電力制御装置の入力電圧波形情報加算時の各部波形図
【図８】図５に示す比較・選択回路の１例を示す図
【図９】図１に示す整形回路の詳細回路図
【図１０】（ａ）（ｂ）（ｃ）は本発明の実施の形態５に係るミックス回路の構成図
【図１１】本発明の実施の形態６に係るミックス回路の構成図
【図１２】本発明の実施の形態７に係る入力電圧波形情報の切替回路を示す図
【図１３】マグネトロンの発振検知に関する時系列チャート
【図１４】本発明の実施の形態８，９に関わるスイッチング周波数制限回路，およびスライス制御信号作成回路の構成図
【図１５】本発明の実施の形態９に関わる電力制御特性図
【図１６】本発明の実施の形態８，９関わる各種信号の関係を示す図
【図１７】図１６に示す信号の一部について、その変化を視覚化した図
【図１８】本発明の実施の形態１０に係る高周波誘電加熱用電力制御装置の構成図
【図１９】本発明の実施の形態１１に係る高周波誘電加熱用電力制御装置の構成図
【図２０】本発明の実施の形態１２に係る高周波誘電加熱用電力制御装置の構成図
【図２１】従来の高周波加熱装置の構成図
【図２２】（ａ）（ｂ）（ｃ）はマグネトロンのアノード・カソード印加電圧−アノード電流特性図
【図２３】従来の高周波誘電加熱用電力制御装置の構成図
【図２４】高周波誘電加熱用電力制御装置の共振回路の特性図
【符号の説明】
【０１４８】
３  第一の半導体スイッチング素子
４  第二の半導体スイッチング素子
５  第一のコンデンサ
６  第二のコンデンサ
７  第三のコンデンサ
８  一次巻線
９  二次巻線
１０  三次巻線
１１  倍電圧整流回路
１２  マグネトロン
４０  インバータ回路
４１  トランス
４２  共振回路電圧情報
４５  制御回路
４６  ダイオード(入力電圧検出部)
４７  整形回路(入力電圧検出部)
４８  発振検知回路
４９  入力電圧波形情報
５０  交流電源
５１  直流電源
６０  ダイオードブリッジ型整流回路
６１  平滑回路
６２  共振回路
６３  ダイオード
６４  インダクタ
６５  コンデンサ
６６  ダイオード
６７  コンデンサ
６８  ダイオード
６９  アノード
７０  カソード
７１  電流検知部(入力電流検出部)
７２  整流回路(入力電流検出部)
７３  平滑回路
７４  比較回路
７５  出力設定部
８１  ミックス回路(変換部)
８２  コンパレータ(変換部)
８３  ノコギリ波発生回路(変換部)
８４  ノコギリ波
８５  増幅回路
８６  シャント抵抗
８７  スライス制御信号
９０  入力電流波形情報
９１  電力制御情報
９２  スイッチング周波数制御信号
９３  共振電圧制御情報
９４  周波数変調信号
９５  第一の制限回路
９６  第二の制限回路
９７  スライス制御信号作成回路
９８  共振回路
９９  第一の直列回路
１００  第二の直列回路
１６３  コンデンサ
１６４  コンパレータ
１６５  コンパレータ
１６６  ＳＲフリップフロップ
【図１】
0005124995.tif 000002
【図２】
0005124995.tif 000003
【図３】
0005124995.tif 000004
【図４】
0005124995.tif 000005
【図５】
0005124995.tif 000006
【図６】
0005124995.tif 000007
【図７】
0005124995.tif 000008
【図８】
0005124995.tif 000009
【図９】
0005124995.tif 000010
【図１０】
0005124995.tif 000011
【図１１】
0005124995.tif 000012
【図１２】
0005124995.tif 000013
【図１３】
0005124995.tif 000014
【図１４】
0005124995.tif 000015
【図１５】
0005124995.tif 000016
【図１６】
0005124995.tif 000017
【図１７】
0005124995.tif 000018
【図１８】
0005124995.tif 000019
【図１９】
0005124995.tif 000020
【図２０】
0005124995.tif 000021
【図２１】
0005124995.tif 000022
【図２２】
0005124995.tif 000023
【図２３】
0005124995.tif 000024
【図２４】
0005124995.tif 000025